(57)【要約】【課題】  漁船で曳航して海底の砂地を爪で掘り起こし、貝類を採集する装置に於いて、海底の砂を掘り起こす為の爪が障害物に当たっても折れたり曲がったりしないで長期間使える貝採集装置を提供する。【解決手段】  可動アングル保持用横棒に２０本程横１列ないし２列に取り付けられた、砂を掘り起こす為の下方向に折れ曲がった爪部分を持つ、Ｌ字型の可動アングルは、連結用丸棒を中心に回動できるが、ストッパーにより一定範囲内でのみ回動し、かつ可動アングルに取り付けてあるねじりバネによって通常は、爪が海底の砂地に刺さるように押し付けておく。【選択図】図１
0003157371.tif 000002
【実用新案登録請求の範囲】
【請求項１】
漁船で曳航して海底の砂を引っ掻いて貝を掘り起こす為の道具で、長さ５０ｃｍ程の可動アングルの先端に長さ約２０ｃｍの海底を引っ掻くための爪を下向きに持ち、可動アングル取付け用の幅約３ｍの横棒に２０〜３０本の可動アングルを取り付けるようになっており、それぞれの可動アングル取付け部には取付け用フランジがあり、フランジと可動アングルの付け根に穿けてある穴を通して連結用の丸棒を差し込んで可動アングルを固定し、丸棒の軸方向は横棒と平行にしてあり、取り付けられた可動アングルは横棒に対して垂直方向に丸棒を中心にして回動でき、一定位置で止まるようにストッパーが設置してあり、可動アングルはねじりバネでストッパーに押し付けてあり、そのとき爪は斜め下方に海底の砂に刺さるような角度になっているが、船がこの装置を曳航して海底を浚う時に爪が障害物に当たるとバネの押しつける力に抗してアングルは上方に逃げられるようになっており、この装置の後方には掘り出された貝を回収するための目の粗い魚網が取り付けてあることを特徴とする貝採集装置。
【請求項２】
可動アングルを横一列ではなく交互に、前後に位置を変え横二列に取り付けてあることを特徴とする請求項１記載の貝採集装置。
【考案の詳細な説明】
【技術分野】
【０００１】  漁船で曳航して海底や湖底を爪で掘り起こし、貝類を採集する装置に関する。
【背景技術】
【０００２】  漁船で曳航して海底の砂を引っ掻いて貝を掘り起こして、貝を採集する技術は昔からあり様々な道具が工夫されてきた。長さ数十ｃｍの鉄製の引っ掻くための爪が十数本横１列に長さ３ｍ程の支持鉄棒に取り付けられているものがあった。【０００３】  また直径８〜１５ｍｍの鉄丸棒を数回巻いてねじりバネにし、バネ側を支持鉄棒に固定し、バネの反対側は約３０ｃｍ程巻かないで、真っ直ぐなまま海底を引っ掻く爪として上記貝採集装置に使用する方法などもあった。【０００４】  海底が全部砂地や細かい砂利であれば問題はないが、時には大きな石などの障害物があって、爪が引っ掛かって爪が曲がったり、折れたりすることがよく起こった。【０００５】  バネの場合は、障害物があっても逃げることができるので、爪部が折れたりするトラブルは避けられたが、バネ本体の一部が爪なので、絶えず曲げ伸ばしが繰り返されることにより金属が疲労してバネの付け根から折れることがあった。またバネに掛かる力の方向も様々あるので、バネが横方向に曲がったり、伸びてしまったりすることもあった。バネを使用しない爪のみの場合も、バネの場合も破損した折の補修が大変厄介であった。
【考案の開示】
【考案が解決しようとする課題】
【０００６】  漁船で曳航して海底や湖底の砂地を爪で掘り起こし、貝類を採集する装置に於いて、海底の砂を掘り起こす為の爪が障害物に当たっても、折れたり曲がったりしないで長期間使え、かつ万が一破損した場合も簡単に補修できる貝採集装置を提供する。
【課題を解決するための手段】
【０００７】  可動アングル保持用横棒に２０本程横１列ないし２列にＬ字型の可動アングルを取り付ける。このＬ字型の可動アングルは砂を掘り起こす為の下方向に折れ曲がった爪部分を持ち、取付け部の丸棒を中心に回動できるが、ストッパーにより一定範囲内でのみ回動できるようにしてある。かつ可動アングルに取り付けてあるねじりバネによって通常は、爪が海底の砂地に刺さるように押しつけてある。すると曳航時爪が何か障害物に当たるとバネの力に抗しながら、爪は上方に逃げることができる。【０００８】  かつねじりバネは長期間の使用に耐えられるよう、弾性限界内で伸縮できるようにバネ材質の硬さ，鋼材の太さ、バネの直径、巻き数等が適切に選んである。
【考案の効果】
【０００９】  上記考案によれば、本装置が海底の砂地を曳航される折、石などの障害物に爪が当たると爪はそれを避けることができ、通過した後爪はバネの力でまた元の位置に戻り、作業は続行されるので、爪が曲がったり折れたりする事故は減り、長期間の使用に耐えることができる。
【考案を実施するための最良の形態】
【００１０】  長さ５０ｃｍ程の可動アングルの先端部に砂地に刺さって引っ掻くようにＬ字型に下向きに曲がった、長さ２０ｃｍ程の爪部分を持ち、この爪部はバネの力で下方に押しつけて一定位置で海底の砂地に刺さりこむようにしてある。この可動アングルは可動アングル取付け用横棒に１列ないし２列に２０〜３０本取り付けて使用する。【００１１】  可動アングルは、付け根部分に穿けてある穴を該横棒に取り付けてある取り付けフランジに嵌め、連結用の丸棒を差し込んで固定するが、丸棒を軸にして横棒に対しては垂直方向に回動できるようになっており、一定位置で止めるためのストッパーが設置してある。【００１２】  可動アングルにはねじりバネが抱き合わせてあり、バネの力でストッパーに押しつけてある。その時可動アングルは定位置として海底の砂地に突き刺さるような角度になっている。海底を曳航しているとき大きな石などの障害物に爪が当たると押しつけているバネの力に抗して爪は上方に逃れて石を避けることができ、通過した後は再びバネの力で定位置に戻る。【００１３】  該横棒は漁船からロープ等で曳航するための丈夫なフレームに取り付けてあり、かつ該横棒の後方には爪で掘り起こされて、舞い上がった貝類を捕獲するための目の粗い網が取り付けてある。
【実施例】
【００１４】  本考案の実施例を図面に基いて説明すると第１図は本考案の貝採集装置の概念を表す斜視図でＬ字型に曲がった爪を持つ可動アングル１がアングル取付け用横棒２に２列に取り付けてある。該横棒には漁船で曳航するためのフレーム３が取り付けてあり、この図では右上方向に引っ張られる。横棒の後方には貝捕獲用の網４が取り付けてあり、曳航時にこの網の口が開くように網の上部は可動アングルの上をまたぐように、網の下部には海底から浮き上がらないように、重りとして鎖５が結びつけてある。【００１５】  この装置の構造を理解し易くするために、側面から眺めた図が図２に示してある。可動アングル１は前後２列に横１列に取り付けてあり、横棒２には牽引用フレーム３が図のように取り付けてある。網４の開口部の上側は可動アングルの上に、網の下側には鎖５が重りとして取り付けてある。【００１６】  可動アングルの機構をより詳しく述べる為に可動アングル部分のみが図３に示してある。図３ａは上から見た図で、図３ｂは横から眺めた図である。可動アングル１を横棒２にセットしてある取り付けフランジ６にねじりバネ７と一緒に嵌め、ねじりバネ７と取り付けフランジ６に穿けてある穴と可動アングルの付け根部分に穿けてある穴を通して連結用丸棒８を貫通させ、丸棒の端に穿けてある固定ピン用穴に固定ピン（ａ）９を指して固定する。【００１７】  ねじりバネの一端１０は横棒に押しつけるようになっており、バネを真っ直ぐ伸ばした他端１１は直角に曲げられて、可動アングルの中間に開けられた穴１２に差し込んで固定ピン（ｂ）１３で抜けないように止めてある。かつ可動アングルはストッパー１４によりそれより下には行かないようにしてある。
【産業上の利用可能性】
【００１８】  以上説明したように、本考案の貝採集装置によればねじりバネに支えられた可動アングルの爪、またはバネは長期間の使用に耐え、貝採集作業の効率が上がる。また万が一どれかの可動アングルが破損した場合も固定ピン（ａ）（ｂ）を抜いて簡単に取り換えることができる。
【図面の簡単な説明】
【００１９】
【図１】貝採集装置の概念を示す斜視図
【図２】貝採集装置の側面図
【図３】ａ  可動アングルの平面図  ｂ  可動アングルの側面図
【符号の説明】
【００２０】  １  可動アングル
２  アングル取付け用横棒
３  牽引用フレーム
４  網
５  鎖
６  取り付けフランジ
７  ねじりバネ
８  連結用丸棒
９  固定ピン（ａ）
１０  ねじりバネの一端
１１  バネを真っ直ぐ伸ばした他端
１２  可動アングルの中間に開けられた穴
１３  固定ピン（ｂ）
１４  ストッパー
【図１】
0003157371.tif 000003
【図２】
0003157371.tif 000004
【図３】
0003157371.tif 000005
【手続補正書】
【提出日】平成21年11月10日(2009.11.10)
【手続補正１】
【補正対象書類名】実用新案登録請求の範囲
【補正対象項目名】請求項１
【補正方法】変更
【補正の内容】
【請求項１】
漁船で曳航して海底の砂を引っ掻いて貝を掘り起こす為の道具で、長さ５０ｃｍ程の可動アングルの先端に長さ約２０ｃｍの海底を引っ掻くための爪を下向きに持ち、可動アングル取付け用の幅約３ｍの横棒に２０〜３０本の可動アングルを取り付けるようになっており、それぞれの可動アングル取付け部には取付け用フランジがあり、フランジと可動アングルの付け根に穿けてある穴を通して連結用の丸棒を差し込んで可動アングルを固定し、丸棒の軸方向は横棒と平行にしてあり、取り付けられた可動アングルは横棒に対して垂直方向に丸棒を中心にして回動でき、一定位置で止まるようにストッパーが設置してあり、可動アングルはねじりバネでストッパーに押し付けてあり、そのとき爪は斜め下方に海底の砂に刺さるような角度になっているが、船がこの装置を曳航して海底を浚う時に爪が障害物に当たるとバネの押しつける力に抗して可動アングルは上方に逃げられるようになっており、この装置の後方には掘り出された貝を回収するための目の粗い魚網が取り付けてあることを特徴とする貝採集装置。